(57)【要約】【課題】本発明が解決しようとする課題は、顧客が利用券を利用する際に店員の負担とならない販売データ処理装置およびプログラムを提供することである。【解決手段】実施形態の販売データ処理装置は、商品を特定する商品特定情報の取得を判断する商品特定情報取得判断部と、利用券の利用を宣言する宣言部と、前記利用券の使用が宣言された場合に、前記商品特定情報取得判断部が取得したと判断した前記商品特定情報に基づいて、記憶部に、商品特定情報に対応付けて記憶されている利用券のうち、前記商品特定情報取得判断部が取得したと判断した商品特定情報の商品に利用可能な利用券を抽出する利用券抽出部と、前記抽出した利用券を表示部に表示する表示制御部と、前記抽出された利用券の一または複数を利用して商品の決済処理を行う決済部と、を備える。【選択図】図５
2020064344.tif 000002
【特許請求の範囲】
【請求項１】
商品を特定する商品特定情報の取得を判断する商品特定情報取得判断部と、
利用券の利用を宣言する宣言部と、
前記利用券の使用が宣言された場合に、前記商品特定情報取得判断部が取得したと判断した前記商品特定情報に基づいて、記憶部に商品特定情報に対応付けて記憶されている利用券のうち、前記商品特定情報取得判断部が取得したと判断した商品特定情報の商品に利用可能な利用券を抽出する利用券抽出部と、
前記抽出した利用券を表示部に表示する表示制御部と、
前記抽出された利用券の一または複数を利用して商品の決済処理を行う決済部と、
を備えた販売データ処理装置。
【請求項２】
利用券指定部、をさらに備え、
前記決済部は、前記表示制御部が表示した利用券のうち、前記利用券指定部によって指定された利用券を利用して決済処理を行う、
請求項１に記載の販売データ処理装置。
【請求項３】
前記決済部は、前記表示された利用券のうち、前記利用券指定部によって指定された利用券が利用可能な商品について値引処理、引換処理または割引処理を含む決済処理を行う、
請求項２に記載の販売データ処理装置。
【請求項４】
前記表示制御部は、前記利用券指定部によって指定された利用券が利用可能な商品を表示し、
表示された商品のうち利用券を利用する商品を指定する商品指定部、をさらに備え、
前記決済部は、前記商品指定部によって指定された商品の前記商品特定情報に対応付けられた前記利用券を利用して決済処理を行う、
請求項３に記載の販売データ処理装置。
【請求項５】
前記表示制御部は、前記商品指定部が指定した商品の数に応じて、必要な利用券の数を表示する、
請求項４に記載の販売データ処理装置。
【請求項６】
コンピュータを、
商品を特定する商品特定情報の取得を判断する商品特定情報取得判断部と、
利用券の利用を宣言する宣言部と、
前記利用券の使用が宣言された場合に、前記商品特定情報取得判断部が取得したと判断した前記商品特定情報に基づいて、記憶部に商品特定情報に対応付けて記憶されている利用券のうち、前記商品特定情報取得判断部が取得したと判断した商品特定情報の商品に利用可能な利用券を抽出する利用券抽出部と、
前記抽出した利用券を表示部に表示する表示制御部と、
前記抽出された利用券の一または複数を利用して商品の決済処理を行う決済部と、
して機能させるためのプログラム。
【発明の詳細な説明】
【技術分野】
【０００１】
本発明の実施形態は、販売データ処理装置およびプログラムに関する。
【背景技術】
【０００２】
従来から、スーパーマーケットやコンビニエンスストアやショッピングセンター等の店舗では、顧客の来店意欲を高めるために、また商品の販売促進のために、特定の商品の金額の値引きや割引きをする商品券・クーポン券や、特定の商品と引き換える引換券等の利用券を配布する企画を行っている。顧客は、これらの利用券を利用することで、特定の商品を安価に購入できたり、特定の商品と引き換えることができる。
【０００３】
ところで、これらの利用券は、利用できる商品が特定されている。そのため、店舗において、販売データ処理装置としてのＰＯＳ（Point  of  Sales）端末を用いて商品の売上登録を操作する店員は、利用券が利用できる商品を利用券別に覚えておかなければならず、店員の負担となるばかりか、間違った利用券を利用することもある。
【発明の概要】
【発明が解決しようとする課題】
【０００４】
本発明が解決しようとする課題は、顧客が利用券を利用する際に店員の負担とならない販売データ処理装置およびプログラムを提供することである。
【課題を解決するための手段】
【０００５】
実施形態の販売データ処理装置は、商品を特定する商品特定情報の取得を判断する商品特定情報取得判断部と、利用券の利用を宣言する宣言部と、前記利用券の使用が宣言された場合に、前記商品特定情報取得判断部が取得したと判断した前記商品特定情報に基づいて、記憶部に、商品特定情報に対応付けて記憶されている利用券のうち、前記商品特定情報取得判断部が取得したと判断した商品特定情報の商品に利用可能な利用券を抽出する利用券抽出部と、前記抽出した利用券を表示部に表示する表示制御部と、前記抽出された利用券の一または複数を利用して商品の決済処理を行う決済部と、を備える。
【図面の簡単な説明】
【０００６】
【図１】図１は、実施形態に係るＰＯＳ端末のハードウェア構成を示すブロック図である。
【図２】図２は、商品マスタの一例を示す図である。
【図３】図３は、券記憶部の一例を示す図である。
【図４】図４は、ＰＯＳ端末の機能構成を示す機能ブロック図である。
【図５】図５は、ＰＯＳ端末の制御処理の流れを示すフローチャートである。
【図６】図６は、ＰＯＳ端末の表示画面の一例を示す図である。
【図７】図７は、ＰＯＳ端末の表示画面の他の一例を示す図である。
【図８】図８は、ＰＯＳ端末の表示画面のさらに他の一例を示す図である。
【図９】図９は、ＰＯＳ端末の表示画面のさらに他の一例を示す図である。
【図１０】図１０は、ＰＯＳ端末の表示画面のさらに他の一例を示す図である。
【発明を実施するための形態】
【０００７】
以下、図面を参照して、実施形態について詳細に説明する。実施形態は、ＰＯＳ端末を販売データ処理装置の一例として説明する。以下に説明する実施形態によりこの発明が限定されるものではない。
【０００８】
図１は、実施形態に係るＰＯＳ端末のハードウェア構成を示すブロック図である。ＰＯＳ端末１は、店舗で販売される商品の売上登録処理および決済処理を実行する装置である。売上登録処理とは、販売される商品に付されたバーコード等のシンボルの画像を撮像、または光学的に読み取って商品コードを取得し、取得した商品コードに基づいて商品マスタから読み出した、当該商品の商品情報（商品名、価格等）を表示するとともに、当該商品情報をＲＡＭ１３の商品情報部１３１等に記憶する処理をいう。決済処理とは、売上登録処理に伴いＲＡＭ等に記憶された商品情報に基づいて、当該取引に係る合計金額の表示、顧客から預かった預り金に基づいて釣銭額を計算して表示する処理等をいう。また、ＰＯＳ端末１は、商品情報や決済情報を印字したレシートを発行する。また、ＰＯＳ端末１は、商品情報や決済情報等を、売上データとして通信回線Ｌを介して店舗サーバ等の上位サーバ（図示せず）に送信する。
【０００９】
図１に示すように、ＰＯＳ端末１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述するＰＯＳ端末１に係る制御処理を実行する。
【００１０】
ＲＡＭ１３は、商品情報部１３１と券記憶部１３２を備えている。商品情報部１３１は、シンボル読取部２１で読み取ったシンボルを解析して取得した商品コードに基づいて売上登録処理された商品の商品情報（商品名、商品の価格等）を記憶する。券記憶部１３２については図３を用いて後述する。
【００１１】
メモリ部１４は、電源を切っても記憶情報が保持されるＨＤＤ（Hard  Disc  Drive）やフラッシュメモリ等の不揮発性メモリで構成される。メモリ部１４は、制御プログラム部１４１、商品マスタ１４２等を備える。制御プログラム部１４１は、ＰＯＳ端末１を制御するための制御プログラムを記憶する。商品マスタ１４２は、店舗で販売する商品について、商品を特定する商品コード別に当該商品に係る商品情報（商品コード、商品名、単価（金額）等）を記憶する。商品マスタ１４２については、図２で後述する。
【００１２】
また、制御部１００は、バス１５およびコントローラ１６を介して、表示部としての店員用表示部１７、客用表示部１８、操作部１９、印字部２０、シンボル読取部２１、カード読取部２２と接続している。店員用表示部１７は、店員に商品情報や決済情報等の情報を表示する。客用表示部１８は、顧客に商品情報や決済情報等の情報を表示する。操作部１９は、テンキーや部門キー等のキーボードである。操作部１９は、決済キーである小計キー１９１、宣言部としての券キー１９２、確定キー１９３等を備える。小計キー１９１は、一取引における売上登録処理を終了し、決済処理を開始する際に操作する。券キー１９２は、利用券を利用する場合に操作する。確定キー１９３は、利用券が利用可能な商品のうち、利用券を利用する商品の指定を確定する際に操作する。
【００１３】
印字部２０は、例えば熱転写式のサーマルヘッド（図示せず）を備え、決済処理された商品の商品情報や決済情報をサーマルヘッドを用いて長尺状の用紙に印字したレシートを発行する。シンボル読取部２１は、商品に付されたバーコードや二次元コード等のシンボルを、光学的に読み取る。または、シンボル読取部２１は、商品に付されたバーコードや二次元コード等のシンボルを撮像する。ＰＯＳ端末１は、読み取ったシンボル、または撮像したシンボルを解析して、当該シンボルが付された商品を特定する商品コードを取得する。カード読取部２２は、商品を購入する際に用いる媒体であるカード（クレジットカードや電子マネー等）から、顧客特定情報であるカード番号を、磁気的または電気的に取得する。
【００１４】
また、制御部１００は、バス１５を介して、通信部２３と接続している。通信部２３は、通信回線Ｌを介して、上位サーバと通信可能に接続している。
【００１５】
次に、商品マスタ１４２について説明する。商品マスタ１４２は、商品を特定する商品コード（商品特定情報）に対応付けて、当該商品コードで特定される商品の種々の情報を記憶する。図２は、商品マスタ１４２の一例を示す図である。図２に示すように、商品マスタ１４２は、商品コード部１４２１、商品名部１４２２、単価部１４２３、利用可能利用券部１４２４を有する。
【００１６】
商品コード部１４２１は、商品コードを記憶する。商品コードは、数字およびアルファベットのいずれかまたは両方で表された、商品を特定するコードである。商品名部１４２２は、商品コードで特定される商品の商品名を記憶する。単価部１４２３は、商品コードで特定される商品の単価（金額）を記憶する。利用可能利用券部１４２４は、商品コードで特定される商品に利用可能な利用券を記憶する。図２の例では、商品コード「００１」で特定される商品Ａに対応づけて、利用券としての引換券Ａが記憶されている。すなわち、商品Ａには引換券Ａである利用券Ａが利用可能である。また、商品コード「００２」で特定される商品Ｂに対応づけて、利用券としての引換券Ａと引換券Ｂが記憶されている。すなわち、商品Ｂには引換券Ａである利用券Ａと引換券Ｂである利用券Ｂが利用可能である。以降。引換券Ａを利用券Ａとして、また引換券Ｂを利用券Ｂとして説明する。
【００１７】
なお、図２の例では、商品コード「００３」で特定される商品Ｃと、商品コード「００４」で特定される商品Ｄと、商品コード「００５」で特定される商品Ｅは、対応する利用可能利用券部１４２４に利用券が記憶されていない。これは、商品Ｃ、商品Ｄ、商品Ｅは、利用できる利用券がないことを示す。すなわち、商品Ｃ、商品Ｄ、商品Ｅは、利用券が利用不可である。
【００１８】
商品マスタ１４２は、店舗で販売商品のうち、利用券が利用可能な商品について、利用可能利用券部１４２４に利用可能な利用券を記憶する。また、商品マスタ１４２は、利用券が利用不可の商品について、利用可能利用券部１４２４に利用可能な利用券を記憶しない。なお、利用券が利用不可の商品について、利用可能利用券部１４２４に利用券を利用しないことを示す情報を記憶してもよい。
【００１９】
なお、以降は、商品Ａ、商品Ｂ、商品Ｃ、商品Ｄ、商品Ｅが売上登録処理されたとして、説明する。
【００２０】
次に、券記憶部１３２について説明する。券記憶部１３２は、売上登録処理された商品に利用可能な利用券を記憶する。詳細は後述するが、券記憶部１３２は、売上登録処理された商品について、利用可能利用券部１４２４に利用可能な利用券が記憶されている場合、当該利用券を抽出して記憶する。
【００２１】
図３は、券記憶部１３２の一例を示す図である。図３に示すように、券記憶部１３２は、利用可能利用券部１３２１、対応商品コード部１３２２、対応商品名部１３２３を備える。利用可能利用券部１３２１は、売上登録処理された商品に対応して利用可能な利用券を特定する利用券特定情報（利用券を特定する利用券コードや利用券名等）を記憶する。対応商品コード部１３２２は、特定された利用券が利用可能な商品の商品コードを記憶する。対応商品名部１３２３は、特定された利用券が利用可能な商品の商品名を記憶する。
【００２２】
図３の例では、売上登録処理された商品Ａと商品Ｂに関し、利用可能利用券部１４２４を参照して、利用可能な利用券として、利用券Ａと利用券Ｂが抽出されて記憶されている。そして、利用券Ａが利用可能な商品として、商品Ａと商品Ｂが対応付けられて記憶されている。また、利用券Ｂが利用可能な商品として、商品Ｂが対応付けられて記憶されている。
【００２３】
ここからは、ＰＯＳ端末１の機能構成について説明する。図４は、ＰＯＳ端末１の機能構成を示す機能ブロック図である。図４に示すように、ＰＯＳ端末１の制御部１００は、商品特定情報取得判断部１０１、利用券抽出部１０２、表示制御部１０３、決済部１０４として機能する。
【００２４】
商品特定情報取得判断部１０１は、商品を特定する商品特定情報の取得を判断する。商品特定情報取得判断部１０１は、シンボル読取部２１が読み取って入力された商品に付されたシンボルに基づいて、当該商品の商品コードを取得したかを判断する。
【００２５】
利用券抽出部１０２は、宣言部である券キー１９２が操作され、利用券の利用が宣言された場合に、商品マスタ１４２に、商品コードに対応付けて記憶されている当該商品コードで特定される商品に利用可能な利用券のうち、商品特定情報取得判断部１０１が取得したと判断した商品コードの商品に利用可能な利用券を抽出する。利用券抽出部１０２は、宣言部である券キー１９２が操作された場合に、商品マスタ１４２から利用可能な利用券を抽出してもよい。また、利用券抽出部１０２は、宣言部である券キー１９２が操作された場合に、商品マスタ１４２からすでに読み出され、例えば商品情報部１３１に記憶されている利用券のうち、利用可能な利用券を商品情報部１３１から抽出してもよい。実施形態では、利用可能な利用券を商品情報部１３１から抽出することとする。
【００２６】
表示制御部１０３は、利用券抽出部１０２が抽出した抽出した利用券を店員用表示部１７に表示する。また表示制御部１０３は、利用券指定部であるキーＧ５（図７を参照）の操作によって指定された利用券が利用可能な商品を表示する。また表示制御部１０３は、商品指定部であるキーＧ８（図９を参照）が指定した商品の数に応じて、必要な利用券の数を表示する。
【００２７】
決済部１０４は、抽出された利用券を利用して商品の決済処理を行う。また決済部１０４は、表示制御部１０３が表示した利用券のうち、キーＧ５によって指定された利用券を利用して決済処理を行う。また、決済部１０４は、表示制御部１０３によって表示された利用券のうち、キーＧ５によって指定された利用券が利用可能な商品について値引処理、引換処理または割引処理を行う決済処理を行う。また決済部１０４は、キーＧ８によって指定された商品に対し、キーＧ５によって指定された利用券を利用して決済処理を行う。
【００２８】
ここからは、ＰＯＳ端末１の制御について説明する。なお、利用券の一例として引換券を使用した例を用いて説明する。そのため、以降の説明における利用券は引換券のことである。引換券は、特定の商品（例えば、引換券に記載された商品）を無料で引き換える券である。そのため、引換券による商品の引換処理は、当該商品を商品の金額（単価）分値引きする値引処理と等しい。
【００２９】
図５は、ＰＯＳ端末の制御処理の流れを示すフローチャートである。図５に示すように、ＰＯＳ端末１の商品特定情報取得判断部１０１は、商品コードを取得したかを判断する（Ｓ１１）。商品特定情報取得判断部１０１が商品コードを取得したと判断した場合には（Ｓ１１のＹｅｓ）、制御部１００は、取得した商品コードで特定される商品について、売上登録処理を実行する（Ｓ１２）。Ｓ１２の処理において、制御部１００は、取得した商品コードに対応した利用可能利用券部１４２４に利用可能な利用券が記憶されている場合は、当該利用券の情報を商品情報部１３１に記憶する。そして制御部１００は、Ｓ１１に戻る。
【００３０】
また、商品特定情報取得判断部１０１が商品コードを取得していないと判断した場合には（Ｓ１１のＮｏ）、制御部１００は、締めキーである小計キー１９１（図６を参照）が操作されたかを判断する（Ｓ２１）。制御部１００は、小計キー１９１が操作されたと判断する。小計キー１９１が操作されていないと判断した場合には（Ｓ２１のＮｏ）、制御部１００はＳ１１に戻る。小計キー１９１が操作されたと判断した場合には（Ｓ２１のＹｅｓ）、制御部１００は、売上登録処理されたすべての商品の商品情報を店員用表示部１７に表示する（Ｓ２２）。
【００３１】
図６は、Ｓ２２で表示された画面ＧＦ１の一例である。画面ＧＦ１には、売上登録処理された商品の商品情報を表示する領域Ｇ１、値引額を表示する領域Ｇ２、利用した利用券を表示する領域Ｇ３、売上登録処理された商品の合計点数および合計金額を表示する領域Ｇ４を表示する。領域Ｇ１には、商品の商品情報として、商品コード、商品名、金額、税金の種類等が印字される。また、画面ＧＦ１は、券キー１９２も表示する。券キー１９２は、利用券の利用を宣言する場合に操作する。この状態では、まだ利用券は利用されていないため、領域Ｇ３には何も表示されていない。
【００３２】
図５の説明に戻る。次に制御部１００は、券キー１９２が操作されたかを判断する（Ｓ３１）。券キー１９２が操作されたと判断した場合には（Ｓ３１のＹｅｓ）、制御部１００は、売上登録処理され、商品情報部１３１に記憶されている商品情報に、利用券が利用可能な商品があるかを判断する（Ｓ３２）。商品情報部１３１に記憶されている商品情報に対応付けて、利用可能な利用券の情報が記憶されている場合には、制御部１００は、利用券が利用可能な商品があると判断する。商品情報部１３１に記憶されているいずれの商品情報にも、利用可能な利用券の情報が記憶されてない場合には、制御部１００は、利用券が利用可能な商品はないと判断する。
【００３３】
なお、商品情報部１３１に記憶されている商品情報に含まれる商品コードに基づいて、商品マスタ１４２を検索して、対応する利用可能利用券部１４２４に利用可能な利用券の情報が記憶されている場合に、制御部１００は、利用券が利用可能な商品があると判断し、対応するいずれの利用可能利用券部１４２４にも利用可能な利用券の情報が記憶されていない場合に、制御部１００は、利用券が利用可能な商品はないと判断するようにしてもよい。
【００３４】
商品情報部１３１に記憶されている商品情報に、利用券が利用可能な商品があると判断した場合には（Ｓ３２のＹｅｓ）、利用券抽出部１０２は、利用可能な利用券と当該利用券が利用できる商品の商品情報（商品コード、商品名）を抽出して、券記憶部１３２に記憶する（Ｓ３３）。すなわち、券記憶部１３２には、売上登録処理した商品に利用可能な利用券が、当該利用券が利用可能な商品の商品情報とともに記憶される。そして表示制御部１０３は、利用券抽出部１０２が抽出した抽出した利用券を店員用表示部１７に表示する（Ｓ３４）。
【００３５】
図７に、Ｓ３４で表示された利用券を表示する画面ＧＦ２の一例を示す。画面ＧＦ２には、利用可能な利用券の名称（図７の例では引換券Ａ、引換券Ｂ）が表示されたキーＧ５と、「？」マークが表示されたキーＧ６が表示される。表示されたキーＧ５とキーＧ６は操作することができる。キーＧ５が操作されると、操作されたキーＧ５に対応した利用券が指定される。図７の例では、引換券ＡのキーＧ５が操作されると、引換券Ａが指定される。また、引換券ＢのキーＧ５が操作されると、引換券Ｂが指定される。キーＧ５が利用券指定部に相当する。また、キーＧ６が操作されると、対応する利用券の詳細情報（例えば利用券の画像）がポップアップで表示される。
【００３６】
また、画面ＧＦ２には、利用券とは別に、今回の顧客との取引に利用可能な商品券等の金券の名称が表示されたキーＧ７が表示される。表示されたキーＧ７は操作することができる。例えば、商品券Ａが表示されたキーＧ７が操作されると、当該取引の合計金額から、商品券Ａが示す金額分の値引処理をすることができる。
【００３７】
図５の説明に戻る。次に制御部１００は、利用券指定部であるキーＧ５の操作によって、いずれかの利用券が指定券が指定されたかを判断する（Ｓ３５）。いずれかの利用券が指定されるまで待機し（Ｓ３５のＮｏ）、いずれかの利用券が指定されたと判断した場合には（Ｓ３５のＹｅｓ）、表示制御部１０３は、キーＧ５の操作によって指定された利用券が利用可能な商品を表示する（Ｓ３６）。
【００３８】
図８に、Ｓ３６によって表示された利用券が利用可能な商品を表示した画面ＧＦ３の一例を示す。図８の例では、利用券Ａである引換券ＡのキーＧ５が操作された場合の利用券が利用可能な商品を示している。図８に示すように、画面ＧＦ３は、操作されたキーＧ５に対応して利用できる商品を表示するキーＧ８、使用する利用券の数を表示する領域Ｇ９、利用券の種類と利用する商品を確定する確定キーＧ１０を表示する。キーＧ８と確定キーＧ１０は操作することができる。
【００３９】
この画面ＧＦ３において、店員は、顧客から利用券を利用する商品を聞き出して、指定する。利用券を利用する商品は、キーＧ８を操作して指定する。キーＧ８が商品指定部に相当する。図９に、キーＧ８を操作して商品が指定された状態の画面ＧＦ４の一例を示す。図９において、商品ＡのキーＧ８と商品ＢのキーＧ８が操作され、商品Ａと商品Ｂが指定されている。店員は、利用券を利用する商品を指定した後に、確定キーＧ１０を操作する。
【００４０】
なお、Ｓ３６の処理において、表示制御部１０３は、キーＧ５が指定した商品の数に応じて、必要な利用券の数を表示する。図９の例では、商品Ａと商品Ｂの２個の商品が利用券を利用する商品として指定されているため、表示制御部１０３は、領域Ｇ９に、必要な利用券の数として「２」を表示する。
【００４１】
図５の説明に戻る。次に制御部１００は、確定キーＧ１０が操作されたかを判断する（Ｓ３７）。確定キーＧ１０が操作されるまで待機し（Ｓ３７のＮｏ）、確定キーＧ１０が操作されたと判断した場合には（Ｓ３７のＹｅｓ）、制御部１００は、利用券の利用を反映した画面ＧＦ５を表示する（Ｓ３８）。
【００４２】
図１０に、Ｓ３８で表示された画面ＧＦ５の一例を示す。画面ＧＦ５には、領域Ｇ３に、利用した利用券（引換券Ａ）の枚数を表示する。図１０の例では、利用券（引換券Ａ）が商品Ａと商品Ｂに利用されるため、領域Ｇ３には利用券の利用数２が表示されている。また、画面ＧＦ５には、利用券が利用されて、実質的に値引かれた値引相当額を表示する領域Ｇ１１、値引相当額を値引いた後の請求額を表示する領域Ｇ１２が表示される。図１０の例では、利用券が商品Ａと商品Ｂとに利用された結果として、商品Ａと商品Ｂの合計金額を値引くため、商品Ａの金額１５１円と商品Ｂの金額１４０円の合計金額（２９１円）が値引相当額として領域Ｇ１１に表示される。また、領域Ｇ１２には、領域Ｇ４に表示されている合計金額（１２６７円）から、値引相当額（２９１円）を減額した金額（９７６円）が表示される。また、画面ＧＦ５には、当該取引を終了するための決済キーである現計キーＧ１３が表示される。
【００４３】
図５の説明に戻る。次に制御部１００は、現計キーＧ１３が操作されたかを判断する（Ｓ４１）。現計キーＧ１３が操作されたと判断した場合には、決済部１０４は、抽出された利用券を利用して商品の決済処理を行う。具体的には、決済部１０４は、表示制御部１０３が表示した利用券のうち、キーＧ５によって指定された利用券を利用して、キーＧ８によって指定された商品に当該利用券を利用して決済処理を行う（Ｓ４２）。そして制御部１００は、Ｓ１１に戻る。なお、決裁キーが操作されていないと判断した場合には（Ｓ４１のＮｏ）、制御部１００は、Ｓ３１に戻る。
【００４４】
実施形態では、Ｓ４２の処理において、キーＧ５によって指定された利用券Ａを２枚を顧客から預かることで、商品Ａと商品Ｂの金額分の金銭（２９１円）を預かったものとし、商品Ａと商品Ｂを預かったに相当する利用券を利用して決済処理する。すなわち、利用券Ａを２枚預かって、商品Ａと商品Ｂと引き換える決済処理を実行する。この決済処理は、商品Ａと商品Ｂの金額分として、２９１円を値引く決済処理と同等である。
【００４５】
なお、Ｓ４２における決済処理において、制御部１００は、決済処理した商品の商品情報や決済情報を含むトランザクションデータを生成する。トランザクションデータは、しかるべきタイミング（例えば店舗の業務終了時）で上位サーバに送信する。そして、制御部１００は、トランザクションデータの一部として、利用した利用券の種類と当該利用券を利用した商品とを対応づけて生成する。このようにすることで、どの商品にどの利用券が利用されたかを集計して、利用された利用券の種類と利用券が利用された商品を管理することができる。また、利用数が多い種類の利用券を分析して、商品の販売促進につなげることもできる。
【００４６】
また、Ｓ３１において、券キー１９２は操作されていないと判断した場合（Ｓ３１のＮｏ）であって、現計キーＧ１３が操作された場合には（Ｓ４１のＹｅｓ）、制御部１００は、利用券を使用しない決済処理を実行する。また、Ｓ３２において、商品情報部１３１に記憶されている商品情報に、利用券が利用可能な商品はないと判断した場合には（Ｓ３２のＮｏ）、制御部１００は、利用券を使用しない決済処理を実行する。
【００４７】
このような実施形態によれば、ＰＯＳ端末１は、売上登録処理された商品に利用可能な利用券を抽出して表示し、抽出された利用券を利用して商品の決済処理を行う。そのため、顧客が利用券を利用する際に店員の負担とならない。
【００４８】
また、実施形態によれば、利用券を利用する商品を指定することで、利用する利用券の数を表示する。そのため、店員は利用する利用券の数を容易に把握することができる。
【００４９】
また、実施形態によれば、利用した利用券と利用券を利用した商品とを対応づけたトランザクションでエータを生成する。そのため、利用された利用券と利用券を利用した商品とを集計して管理することができる。
【００５０】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【００５１】
例えば、実施形態では、ＰＯＳ端末１に商品マスタ１４２を設けた。しかしながらこれに限らず、例えば、商品マスタはＰＯＳ端末１と接続される他の装置（例えばＰＯＳ端末１の上位サーバ）に設けてもよい。
【００５２】
また、実施形態では、２枚の利用券を利用した。しかしながら、これに限らず、一枚または複数枚の利用券を使用するようにしてもよい。
【００５３】
なお、実施形態のＰＯＳ端末１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００５４】
また、実施形態のＰＯＳ端末１で実行されるプログラムを、インターネット等のネットワークに接続されたコンピュータ上に格納し、ネットワーク経由でダウンロードさせることにより提供するように構成しても良い。また、実施形態のＰＯＳ端末１で実行されるプログラムをインターネット等のネットワーク経由で提供または配布するように構成しても良い。
【００５５】
また、実施形態のＰＯＳ端末１で実行されるプログラムを、ＲＯＭ等に予め組み込んで提供するように構成してもよい。
【符号の説明】
【００５６】
１      ＰＯＳ端末
Ｇ５    キー
Ｇ８    キー
１１    ＣＰＵ
１２    ＲＯＭ
１３    ＲＡＭ
１４    メモリ部
１００  制御部
１０１  商品特定情報取得判断部
１０２  利用券抽出部
１０３  表示制御部
１０４  決済部
１３１  商品情報部
１３２  券記憶部
１４２  商品マスタ
１９２  券キー
１９３  確定キー
１３２１  利用可能利用券部
１３２２  対応商品コード部
１３２３  対応商品名部
１４２１  商品コード部
１４２２  商品名部
１４２３  単価部
１４２４  使用可能利用券部
【先行技術文献】
【特許文献】
【００５７】
【特許文献１】特開２０１７−１５７２１６号公報
【図１】
2020064344.tif 000003
【図２】
2020064344.tif 000004
【図３】
2020064344.tif 000005
【図４】
2020064344.tif 000006
【図５】
2020064344.tif 000007
【図６】
2020064344.tif 000008
【図７】
2020064344.tif 000009
【図８】
2020064344.tif 000010
【図９】
2020064344.tif 000011
【図１０】
2020064344.tif 000012